(57)【要約】【課題】ＩＰ電話を利用した特に緊急通信網においていたずらやなりすましが不可能な着信者から発信者への呼び返し実現することにある。【解決手段】ＶＬＡＮ設定装置が、コールエージェントサーバからの指示を受けて、呼毎に、あるいは、固定的にＶＬＡＮを設定する。設定したＶＬＡＮは着信側からの開放要求が来るまで開放しない。【選択図】図３
2005124034.tif 000002
【特許請求の範囲】
【請求項１】
ＶｏＩＰ端末と着信側から発信者の特定を行いたい特定回線もしくは発信者の特定を行い折り返し発信したい特定回線とを収容し、その間で音声を転送するＩＰ転送網において、発信者への折り返し発信を可能とする回線設定方法であって、
発信端末から前記特定回線への接続要求を受けて、発信端末からの音声情報を前記特定回線に接続するルーチングパスを設定制御する呼制御サーバと、
ＶｏＩＰ端末を収容するエッジルータと前記特定回線との間で音声情報を転送するために、前記呼制御サーバからの指示を受けて、呼毎に、あるいは固定的にＶＬＡＮ（バーチャルラン）を設定、あるいは開放し、かつその設定情報を管理するＶＬＡＮ設定装置と、
ＶＬＡＮ設定装置の設定情報に従って、ＶＬＡＮを設定するエッジルータとを具え、
前記呼制御サーバは、発信端末から前記特定回線への接続要求を受けて、発信端末を収容するエッジルータと前記特定回線を収容するエッジルータとの間でＶＬＡＮ設定を呼毎に行う場合は、前記ＶＬＡＮ設定装置に設定要求し、その設定情報を取得し、あるいは固定的に設定済のＶＬＡＮを経由する場合は、その設定情報を取得し、そのＶＬＡＮを音声信号を通すルーチングパスとして前記エッジルータ間に設定し、呼毎に発端未と前記特定回線との間のＩＰ転送網上にＶＬＡＮからなる通話帯域を確保することを特徴とする回線設定方法。
【請求項２】
請求項１記載の回線設定方法にいて、前記呼制御サーバは、前記ＶＬＡＮ設定装置と連携して、発信側に着信側と異なるＶＬＡＮ  ＩＤを付与し、発端末から前記特定回線への接続要求時に、発着ＶＬＡＮ  ＩＤを同一のＩＤで結合して同一ＶＬＡＮを設定することを特徴とする回線設定方法。
【請求項３】
請求項１又は２記載の回線設定方法において、発信端末からの切断要求時には、前記呼制御サーバは発信端末及びＶＬＡＮ設定装置に対して、発端未の状態および音声情報を転送するＶＬＡＮを開放しないように指示し、前記特定回線からの呼び返し要求があった場合には、上記ＶＬＡＮを経由して、再び、発端未に着信を行い、ＩＰ網のトラヒック状況とは無関係に呼び返しを可能とすることを特徴とする回線設定方法。
【請求項４】
請求項１〜３の何れかに記載の回線設定方法において、前記特定回線からの呼開放要求時には、前記呼制御サーバは、発信端末に対して、発信端末の状態を次の発信が可能な空き状態に開放するよう指示するとともに、前記ＶＬＡＮ設定装置に対して、呼毎に設定されたＶＬＡＮは開放するように、また固定的に設定されているＶＬＡＮは音声情報のルーチングを中止するように指示して呼の開放を実施することを特徴とする回線設定方法。
【請求項５】
請求項１記載の回線設定方法を実施する通信システムであって、ＶｏＩＰ端末と着信側から発信者の特定を行いたい特定回線もしくは発信者の特定を行い折り返し発信したい特定回線とを収容し、その間で音声を転送するＩＰ転送網内に、
発信端末から前記特定回線への接続要求を受けて、発信端末からの音声情報を前記特定回線に接続するルーチングパスを設定制御する呼制御サーバと、
ＶｏＩＰ端末を収容するエッジルータと前記特定回線との間で音声情報を転送するために、前記呼制御サーバからの指示を受けて、呼毎に、あるいは固定的にＶＬＡＮ（バーチャルラン）を設定、あるいは開放し、かつその設定情報を管理するＶＬＡＮ設定装置と、
ＶＬＡＮ設定装置の設定情報に従って、ＶＬＡＮを設定する前記エッジルータとを具え、
前記呼制御サーバは、発信端末から前記特定回線への接続要求を受けて、発信端末を収容するエッジルータと前記特定回線を収容するエッジルータとの間でＶＬＡＮ設定を呼毎に行う場合は、ＶＬＡＮ設定装置に設定要求し、その設定情報を取得し、あるいは固定的に設定済のＶＬＡＮを経由する場合は、その設定情報を取得し、そのＶＬＡＮを音声信号を通すルーチングパスとして前記エッジルータに設定する機能を有し、呼毎に発端未と前記特定回線との間のＩＰ転送網上にＶＬＡＮからなる通話帯域を確保することを特徴とする通信システム。
【請求項６】
請求項５記載の通史システムにいて、前記呼制御サーバは、前記ＶＬＡＮ設定装置に指示して、発信側に着信側と異なるＶＬＡＮ  ＩＤを付与し、発端末から前記特定回線への接続要求時に、発着ＶＬＡＮ  ＩＤを同一のＩＤで結合して同一ＶＬＡＮを設定する機能を有することを特徴とする通信システム。
【請求項７】
請求項５又は６記載の通信システムにおいて、発信端末からの切断要求時には、前記呼制御サーバは発信端末及びＶＬＡＮ設定装置に対して、発端未の状態および音声情報を転送するＶＬＡＮを開放しないように指示する機能を有し、前記特定回線からの呼び返し要求があった場合には、上記ＶＬＡＮを経由して、再び、発端未に着信を行い、ＩＰ網のトラヒック状況とは無関係に呼び返しを可能とすることを特徴とする通信システム。
【請求項８】
請求項４〜７の何れかに記載の通信システムおいて、前記特定回線からの呼開放要求時には、前記呼制御サーバは、発信端末に対して、発信端末の状態を次の発信が可能な空き状態に開放するよう指示するとともに、前記ＶＬＡＮ設定装置に対して、呼毎に設定されたＶＬＡＮは開放するように、また固定的に設定されているＶＬＡＮは音声情報のルーチングを中止するように指示する機能を有することを特徴とする通信システム。
【請求項９】
請求項５〜８の何れかに記載の通信システムにおいて、前記呼制御サーバは前記ＶＬＡＮ設定装置の機能の全部又は一部を具えていることを特徴とする通信システム。
【請求項１０】
請求項５〜８の何れかに記載の通信システムに使用する呼制御サーバであって、請求項５〜８の何れかに記載のＶＬＡＮ設定装置の機能の全部又は一部を具えていることを特徴とする呼制御サーバ。
【発明の詳細な説明】
【技術分野】
【０００１】
本発明は、ＶｏＩＰ端末と警察や消防回線等の着信側から発信者の特定を行い折り返し発信したい回線とを収容し、その間で音声を転送するＩＰ転送網において、発信者の特定及び発信者への折り返し発信を可能とする回線設定方法及び該方法を実施する通信システムに関するものである。
１１０番／１１９番等の緊急通信では、外部からの着信があった場合、発信者を特定し、発信者への呼び返しを可能とする必要がある。
【背景技術】
【０００２】
図１はＩＰ電話を利用した緊急通信等のシステムを示す。
図１において、１はＶｏＩＰ端末１１を収容する構内交換網等の送信側ユーザネットワークである。２は着信側から発信側の位置を特定し折り返し発信したい警察／消防交換台等の端末２１を収容する受信側ネットワーク（警察／消防回線）である。この受信ネットワークは本例ではＰＳＴＮであり、加入者交換機（ＬＳ）２２、中継／相互接続用交換機（ＩＣ／ＩＧＳ）２３、共通線信号装置（ＳＳ７）２４を具えているが、この受信ネットワークはＩＰ網である場合もある。
３は送信側ネットワーク１と受信側ネットワーク２を接続するＩＰ網であり、４は送信側ネットワーク１とＩＰ網３を相互接続するＬ２ＳＷ等の相互接続スイッチである。
【０００３】
ＩＰ網３は、送信側ネットワークのＶｏＩＰ端末１１にＬ２ＳＷ等４を介して接続するエッジルータ３１と、コールエージェントサーバ（ＣＡ）３２と、コアルータ３３と、メディアゲートウェイ（ＭＧ）３５及びシグナリングゲートウェイ（ＧＷ）３６を介して受信側ＰＳＴＮネットワーク２の中継／相互接続用交換機２３及び共通線信号装置２４に接続するエッジルータ３４とを具える。
コールエージェントサーバ３２は、発信端末からの警察／消防回線への接続要求を受けて、発信端末からの音声情報を警察／消防回線に接続するルーチングパスを設定制御する機能を有し、呼制御サーバとも言う。
【０００４】
図２は図１の通信システムにおける従来の発信者特定及び呼び返し方法を示す。
従来では、送信側ネットワーク内のＶｏＩＰ端末Ａで１１０／１１９を発呼すると、該発信端末Ａを収容するＩＰ網内のエッジルータ３１らコールエージェントサーバ（ＣＡ）３２へ発信者が設定する発着ＩＤ〈発信者電話番号もしくはＩＰアドレス〉が通知され、コールエージェントサーバ（ＣＡ）３２が該発着ＩＤに基づいてルーティングを行い、エッジルータ３１、コアルータ３３、エッジルータ３４、メディアゲートウェイ（ＭＧ）３５、シグナリングゲートウェイ（ＧＷ）３６を経て受信側ネットワーク（通常ＰＳＴＮ）の警察／消防回線へ接続する経路を設定するとともに、発ＩＤを着信端末へ通知するので、着信側端末（警察／消防交換台）は通知された発ＩＤを用いて発信側端末の位置を特定し着信側から発信側への呼び返しを行っていた。また発ＩＤが正しいかどうかはコールエージェントサーバに事前に登録されているＤＢとの照合により実施していた。
【０００５】
しかしながら発ＩＤは発信者端末が付加するため、端末等を変更し、ＤＢと不一致にした場合や虚偽の発ＩＤで発信した場合、着信側から発信者側への呼び返しを行っても、図２に点線で示すように端末Ｂに接続され、実際に発信したユーザに接続することが不可能となり、いたずらや他のユーザになりすますことが可能であった。
【発明の開示】
【発明が解決しようとする課題】
【０００６】
本発明は、ＩＰ電話を利用した１１０番／１１９番等の緊急通信においていたずらやなりすましが不可能な着信側から発信者の特定及び発信者への呼び返しを実現する方法及びシステムを提供することにある。
【課題を解決するための手段】
【０００７】
本発明は、ＶｏＩＰ端末と着信側から発信者の特定を行いたい特定回線もしくは発信者の特定を行い折り返し発信したい特定回線とを収容し、その間で音声を転送するＩＰ転送網において、発信者の特定もしくは発信者への折り返し発信を可能とする回線設定方法であって、
発信端末から前記特定回線への接続要求を受けて、発信端末からの音声情報を前記特定回線に接続するルーチングパスを設定制御する呼制御サーバと、
ＶｏＩＰ端末を収容するエッジルータと前記特定回線との間で音声情報を転送するために、前記呼制御サーバからの指示を受けて、呼毎に、あるいは固定的にＶＬＡＮを設定、あるいは開放し、かつその設定情報を管理するＶＬＡＮ設定装置と、
ＶＬＡＮ設定装置の設定情報に従って、ＶＬＡＮを設定する前記エッジルータとを具え、
前記呼制御サーバは、発信端末から前記特定回線への接続要求を受けて、発信端末を収容するエッジルータと前記特定回線を収容するエッジルータとの間でＶＬＡＮ設定を呼毎に行う場合は、ＶＬＡＮ設定装置に設定要求し、その設定情報を取得し、あるいは固定的に設定済のＶＬＡＮを経由する場合はその設定情報を取得し、そのＶＬＡＮを音声信号を通すルーチングパスとして前記エッジルータに設定し、呼毎に発端未と前記特定回線との間のＩＰ転送網上にＶＬＡＮからなる通話帯域を確保することを特徴とする。
【０００８】
本発明の回線設定方法では、発信端末からの切断要求時には、前記呼制御サーバは発信端末及びＶＬＡＮ設定装置に対して、発端未の状態および音声情報を転送するＶＬＡＮを開放しないように指示し、前記特定回線からの呼び返し要求があった場合には、上記ＶＬＡＮを経由して、再び、発端未に着信を行い、ＩＰ網のトラヒック状況とは無関係に呼び返しを可能とする。
【０００９】
本発明の回線設定方法では、更に、前記特定回線からの呼開放要求時には、前記呼制御サーバは、発信端末に対して、発信端末の状態を次の発信が可能な空き状態に開放するよう指示するとともに、前記ＶＬＡＮ設定装置に対して、呼毎に設定されたＶＬＡＮは開放するように、また固定的に設定されているＶＬＡＮは音声情報のルーチングを中止するように指示して呼の開放を実施する。
【発明の効果】
【００１０】
本発明の回線設定方法によれば、ＩＰ電話を使用する際にＶＬＡＮを用いることにより着信者から発信者の特定及び発信者への呼び返しを可能とするので、従来では発信者が送信端末で設定してくる１Ｐアドレスを用いて発信者を特定しているために「なりすまし」が可能であったが、本発明ではあたかも設定は回線運営者が行うようになり、「なりすまし」を不可能とする効果があり、このようになりすましを防止することにより着信者から発信者への呼び返し等が可能となる利点がある。
【発明を実施するための最良の形態】
【００１１】
図３は、本発明の発信者特定及び呼び返し方法を実施する通信システム全体の概略図である。
図３において、１はＶｏＩＰ端末１１を収容する構内交換網等の送信側ユーザネットワークである。２は着信側から発信側の位置を特定し折り返し発信したい警察／消防交換台等の端末２１を収容する受信側ネットワーク（警察／消防回線）である。この受信ネットワークは本例ではＰＳＴＮであり、加入者交換機（ＬＳ）２２、中継／相互接続用交換機（ＩＣ／ＩＧＳ）２３、共通線信号装置（ＳＳ７）２４を具えているが、この受信ネットワークはＩＰ網である場合もある。
３は送信側ネットワーク１と受信側ネットワーク２を接続するＩＰ網であり、４は送信側ネットワーク１とＩＰ網３を相互接続するＬ２ＳＷ等の相互接続スイッチである。
【００１２】
ＩＰ網３は、送信側ネットワークのＶｏＩＰ端末１１にＬ２ＳＷ等４を介して接続するエッジルータ３１と、コールエージェントサーバ（ＣＡ）３２と、ＶＬＡＮ設定装置３７と、コアルータ３３と、メディアゲートウェイ（ＭＧ）３５及びシグナリングゲートウェイ（ＧＷ）３６を介して受信側ＰＳＴＮネットワーク２の中継／相互接続用交換機２３及び共通線信号装置２４に接続するエッジルータ３４とを具える。
【００１３】
コールエージェントサーバ３２は、発信端末からの警察／消防回線への接続要求を受けて、発信端末からの音声情報を警察／消防回線に接続するルーチングパスを設定制御する機能を有し、呼制御サーバとも言う。
ＶＬＡＮ設定装置３７は、コールエージェントサーバ３２からの指示を受けて、ＶｏＩＰ端末を収容するエッジルータ３１と警察／消防回線を収容するエッジルータ３４との間で、コールエージェントサーバ３２からの指示を受けて呼毎に、あるいは固定的にＶＬＡＮを設定、あるいは開放し、かつその設定情報を管理する機能を有する。
エッジルータ３１は、ＶＬＡＮ設定装置３７の設定情報に従ってＶＬＡＮを設定する機能を有する。
尚、コールエージェントサーバ３２はＶＬＡＮ設定装置３７の機能の全部あるいは一部を具えるものとしてもよい。
【００１４】
本発明による回線設定方法の第１の実施例を図４につき説明する。図４の通信システムは図３と同一であり、対応する構成要素は同一の符号で示す。
【００１５】
本例回線設定方法の発信時における手順を図４Ａを参照して説明する。
(1)  ルーチングに使用するＶＬＡＮ  ＩＤはＶＬＡＮ設定装置３７で管理し、発着両方向用に必要回線分をあらかじめ確保しておく。図３のように回線数が少なく動的に付与する必要のない端末に対しては事前に付与しておいてもよい。例えば警察や消防につながる１１０番回線や１１９番回線に対してＶＬＡＮ  ＩＤ＝αを事前付与することができる。発側のように多数の端末が想定される場合はＶＬＡＮ設定装置３７でＶＬＡＮ  ＩＤの管理を行い端末側への払い出し管理を行う。（着側も同様に払い出し管理での動的設定を行ってもよい）。ＶＬＡＮ設定が確立しない場合はその時点で呼損とする。
(2)  発信者がＩＰ電話端末から１１０／１１９を発呼すると、
(3)  エッジルータ３１がコールエージェントサーバ３２にルーチングし、発呼パケットをコールエージェントサーバ３２に転送する。
(4)  コールエージェントサーバ３２が発呼パケットを受け取ると、コールエージェントサーバ３２は、ＶＬＡＮ設定装置３７を検索して、発側ルートにＶＬＡＮ  ＩＤ＝ａの設定要求を発出する。
(5)  発信端末１１はＶＬＡＮ  ＩＤ＝ａを設定する。このとき(ｉ)ａ＝α。
(6)  コールエージェントサーバ３２は発呼パケットに含まれる着信番号に基づいてルーチングを行う。このルーチングに際しては、ＶＬＡＮ設定装置３７を検索して、(ｉ)ａ＝αの時はそのままＶＬＡＮ  ＩＤ＝αを設定し、同一ＶＬＡＮと認識させる設定をエッジルータ３１に付与する（１１０／１１９番の特定着信番号のみＩＤ付与）。
(7)  エッジルータ３１で発側ＶＬＡＮと着側ＶＬＡＮを結合し、呼制御パケット転送を実施する。以降のパケット転送はＶＬＡＮ内で実施される。
(8)  設定したＶＬＡＮ内で呼び出しおよび着信処理を行い通話となる。
【００１６】
次に、通信を終了する場合の手順を図４Ｂを参照して説明する。通信終了時の手順は、発信者側が切断する「発切り」の場合と、着信者側が切断する「着切り」の場合でシーケンスが異なるためそれぞれ場合に分けて説明する。
く発切りの場合＞
(9-1)  発信者側が切断する「発切り」の場合は、コールエージェントサーバ３２は、着信者からの呼び返しが可能なように、発信端末及びＶＬＡＮ設定装置３７に対して、発信端末の状態及びＶＬＡＮのルーチング情報を保持し解放を行わないように指示する。２度、３度の呼び返しができるように着側からＶＬＡＮ解放要求が来ない場合は解放を行わない。
(10)  着信側からの呼び返しを行う必要が無くなった場合は着側からＶＬＡＮパスの解放要求をコールエージェントサーバ３２に送出する。
(11)  コールエージェントサーバ３２は、着信端末からの解放要求の受信後に、発信端末に対して、その状態を空き状態に開放するよう指示するとともに、ＶＬＡＮ設定装置３７に対して、エッジルータ３１に設定されているＶＬＡＮ結合情報を解放するよう指示する。
(12)  エッジルータ３１は設定されたＶＬＡＮ結合情報を開放し、呼の開放を実施する。
【００１７】
＜着切りの場合＞
(9-2)  着側が切断する「着切り」の場合で呼び返しを行う可能性のある場合は、ＶＬＡＮを解放せずに保持する。再度呼び返しを行う可能性が無い場合はＶＬＡＮの解放要求をコールエージェントサーバ３２に対して送出する。
(11)  コールエージェントサーバ３２は、着信端末からの解放要求の受信後に、ＶＬＡＮ設定装置３７に対して、エッジルータ３１に設定されているＶＬＡＮ結合情報を解放するよう要求する。
(12)  ルータ３１は設定されたＶＬＡＮ結合情報を開放し、呼の開放を実施する。
【００１８】
本発明の回線設定方法の第２の実施例を図５に示す。本例は、発信者に着側のＶＬＡＮ  ＩＤを見せたくない場合であり、発信側に着信側と異なるＶＬＡＮ  ＩＤを付与する。図５の通信システムも図３と同一であり、対応する構成要素は同一の符号で示す。
【００１９】
本例回線設定方法の発信時における手順を図５Ａを参照して説明する。
(1)  ルーチングに使用するＶＬＡＮ  ＩＤはＶＬＡＮ設定装置３７で管理し、発着両方向用に必要回線分をあらかじめ確保しておく。図３のように回線数が少なく動的に付与する必要のない端末に対しては事前に付与しておいてもよい。例えば警察や消防につながる１１０番回線や１１９番回線に対してＶＬＡＮ  ＩＤ＝αを事前付与することができる。発側のように多数の端末が想定される場合はＶＬＡＮ設定装置３７でＶＬＡＮ  ＩＤの管理を行い端末側への払い出し管理を行う。（着側も同様に払い出し管理での動的設定を行ってもよい）。ＶＬＡＮ設定が確立しない場合はその時点で呼損とする。
(2)  発信者がＩＰ電話端末から１１０／１１９を発呼すると、
(3)  エッジルータ３１がコールエージェントサーバ３２にルーチングし、発呼パケットをコールエージェントサーバ３２に転送する。
(4)  コールエージェントサーバ３２が発呼パケットを受け取ると、コールエージェントサーバ３２は、ＶＬＡＮ設定装置３７を検索して、発側ルートにＶＬＡＮ  ＩＤ＝ａの設定要求を発出する。
(5)  発信端末１１はＶＬＡＮ  ＩＤ＝ａを設定する。このとき（ii）ａ≠α。
(6)  コールエージェントサーバ３２は発呼パケットに含まれる着信番号に基づいて着側にルーチングを行う。このルーチングに際しては、ＶＬＡＮ設定装置３７を検索して、発着ＶＬＡＮ  ＩＤを同一のＩＤで結合し、ａはαと同一ＶＬＡＮと認識させる設定をエッジルータ３１に設定する（１１０／１１９番の特定着信番号のみＩＤを付与）。
(7)  エッジルータ３２で発側ＶＬＡＮと着側ＶＬＡＮを結合し、呼制御パケット転送を実施する。以降の転送はＶＬＡＮ内で実施される。
(8)  設定したＶＬＡＮ内で呼び出しおよび着信処理を行い通話となる。
【００２０】
次に、通信を終了する場合の手順を図５Ｂを参照して説明する。通信終了時の手順は、発信者側が切断する「発切り」の場合と、着信者側が切断する「着切り」の場合でシーケンスが異なるためそれぞれ場合に分けて説明する。
く発切りの場合＞
(9-1)  発信者側が切断する「発切り」の場合は、コールエージェントサーバ３２は、着信者からの呼び返しが可能なように、発信端末及びＶＬＡＮ設定装置３７に対して、発信端末の状態及びＶＬＡＮのルーチング情報を保持し解放を行わないように指示する。２度、３度の呼び返しができるように着側からＶＬＡＮ解放要求が来ない場合は解放を行わない。
(10)  着信側からの呼び返しを行う必要が無くなった場合は着側からＶＬＡＮパスの解放要求をコールエージェントサーバ３２に送出する。
(11)  コールエージェントサーバ３２は、着信端末からの解放要求の受信後に、発信端末に対して、その状態を空き状態に開放するよう指示するとともに、ＶＬＡＮ設定装置３７に対して、エッジルータ３１に設定されているＶＬＡＮ結合情報を解放するよう指示する。
(12)  エッジルータ３１は設定されたＶＬＡＮ結合情報を開放し、呼の開放を実施する。
【００２１】
＜着切りの場合＞
(9-2)  着側が切断する「着切り」の場合で呼び返しを行う可能性のある場合は、ＶＬＡＮを解放せずに保持する。再度呼び返しを行う可能性が無い場合はＶＬＡＮの解放要求をコールエージェントサーバ３２に対して送出する。
(11)  コールエージェントサーバ３２は、着信端末からの解放要求の受信後に、ＶＬＡＮ設定装置３７に対して、エッジルータ３１に設定されているＶＬＡＮ結合情報を解放するよう要求する。
(12)  ルータ３１は設定されたＶＬＡＮ結合情報を開放し、呼の開放を実施する。
【００２２】
尚、上述した本発明の回線設定方法においては、設定するＶＬＡＮは１つの発呼に対して１つである必要性はない。当初から２つ（以上）張っておき、１つ（以上）を呼び返し用に確保しておく。発切り、着切りのどちらでも通話が終了する度にＶＬＡＮを１つずつ解放していきＶＬＡＮをシステム上３回乎び返しが可能なように設定するのであれば３つのＶＬＡＮを呼び返し用に確保しておき、切断毎にＶＬＡＮを解放していってもよい。
また、設定するＶＬＡＮは全ての呼び返しが終了するまで張りっぱなしにする必要はない。コールエージェントサーバもしくはＶＬＡＮ設定装置が設定したＶＬＡＮのルーチング情報を記憶しておき、呼び返しの度にＶＬＡＮ設定を行ってもよい。
【図面の簡単な説明】
【００２３】
【図１】ＩＰ電話を利用した緊急通信等のシステムの概略図である。
【図２】図１の緊急通信システムにおける従来の発信者への呼び返し方法の概要を示す図である。
【図３】本発明による発信者への呼び返しを可能とする回線設定方法を実施する通信システムの概略図である。
【図４】本発明による発信者への呼び返しを可能とする回線設定方法の第１の実施例の手順を示す図である。
【図５】本発明による発信者への呼び返しを可能とする回線設定方法の第２の実施例の手順を示す図である。
【符号の説明】
【００２４】
１  送信側ネットワーク
２  受信側ネットワーク
３  ＩＰ転送網
１１  ＶｏＩＰ端末
２１  警察／消防交換台
２２  加入者交換台（ＬＳ）
２３  中継／相互接続交換機（ＩＣ／ＩＧＳ）
２４  共通線信号装置（ＳＳ７）
３１  エッジルータ
３２  コールエージェントサーバ
３３  コアルータ
３４  エッジルータ
３５  メディアゲートウェイ
３６  シグナリングゲートウェイ
３７  ＶＬＡＮ設定装置
【図１】
2005124034.tif 000003
【図２】
2005124034.tif 000004
【図３】
2005124034.tif 000005
【図４】
2005124034.tif 000006
【図５】
2005124034.tif 000007